(57)【要約】      （修正有）【課題】互いの機能性と利便性を向上する一体化構造を実現した箸置き兼用箸自助具を提供する。【解決手段】箸の操作を補助する箸自助具は、伸縮性素材で構成され箸が挿入可能な筒体であって、両端に位置する開口部４及び開口部から連なる内部空間を有する筒体３と、筒体を分割する切込み部５と、切り込み部を跨いで筒体に配置され折り曲げ可能な連結部６と、で構成されている。また筒体の上部には窪み７が設けられ、下部には台座２が設けられている。このことにより、箸置きと箸自助具を一体に構成することが可能である。【選択図】図１
0003212348.tif 000002
【実用新案登録請求の範囲】
【請求項１】
箸の操作を補助する箸置き兼用箸自助具であって、伸縮性素材で構成され箸を挿入可能な筒体であって、両側に位置する開口部及び両側の前記開口部から連なる内部空間を有する前記筒体、前記筒体を分割する切込み部、前記切込み部を跨いで前記筒体に配置され折り曲げ可能な連結部、箸自助具の開闢動作が同軌道となることで箸先の歪みをなくし、前記伸縮性素材の軌道軸となる、前記筒体の下部に設けられた台座であって、前記筒体を安定して配置できる前記台座、前記筒体の上部に設けた箸置き用の窪みを有する箸置き兼用箸自助具。
【請求項２】
前記切込み部を跨ぐように前記台座の内部に設けられた芯材であって、折り曲げるとバネ弾性が発生する前記芯材を有する請求項１に記載の箸置き兼用箸自助具。
【請求項３】
前記窪みは、両端の前記開口部から前記筒体の中央部に向かい勾配のある傾斜を有することを特徴とする請求項１または請求項２に記載の箸置き兼用箸自助具。
【請求項４】
前記窪みは、両端の前記開口部から内側に向かって、前記内部空間の内径を小さくするように形成されていることを特徴とする請求項１から請求項３のいずれかに記載の箸置き兼用箸自助具。
【考案の詳細な説明】
【技術分野】
【０００１】
本考案は箸置き機能を有する箸自助具に関する。
【背景技術】
【０００２】
従来の食事用の箸補助具または箸自助具には、特定の箸若しくは規格の箸に限定された一対の箸を嵌合保持する形状からなり、一対の箸を嵌合する部材又は、箸を保持する部材（以下、箸保持部材）は開脚バネを有した連結部材でつながり、連結部材に設けられた上下２個の箸保持部材同士は箸間隔が適度に広がり常時Ｖ字状に広げる方向に付勢する開脚バネを有しており、箸自助具を使用する際は箸の中間部分に取り付けることで、箸の先端側は閉じた状態又は少し開いた状態になり、箸の後端側は拡開した状態になって、箸自助具を使用するときは取り付けた部分より後端側を掌中に納めて箸先の開き操作をする際に力を入れるだけで容易に箸の乖離可動を広げる方向に付勢する補助機能を施したものがある（例えば、特許文献１参照。）。
【０００３】
また、従来の食事用の箸置きは食事中に箸を置くことしかできず、上面に箸置き面を形成し、底面の台座は切り込み部を形成してあって、箸置き本体は箸止めとして箸を一纏めにすることができ、台座の切り込み部に連なる開口部に横貫挿通する機能を備えていて、食事中に箸を貫通させた状態で、食卓に置いて使用する構成であった（例えば、特許文献２参照。）。
【０００４】
以下、従来の箸自助具と箸置きについて説明する。これまでの箸自助具および箸置きはそれぞれ個別の物品として存在し、用途が違うため別々に用意しなければならず常備常用されにくい物品であった。  従来の箸自助具においては概ね使用される方は中高生から成人を対象者としており、前記対象者の手に合わせた形状に規格化された箸自助具が主で使用される方が限定された。  また箸置きは箸の使用が必然であり箸に付随するものであって単に机、テーブル上に置いた箸置きは他の用途に使用できるということもなく、箸置きは箸使用を前提としているので箸を使えない方には無用であった。
【先行技術文献】
【特許文献】
【０００５】
【特許文献１】特開２００７−７３０３号    公報
【特許文献２】特開２００５−３４２４８号  公報
【考案の概要】
【考案が解決しようとする課題】
【０００６】
以上に述べた従来の食事用の箸自助具は、特定の規格の箸に限定され、規格外の箸に対応出来ない形状が多く、このことから太い箸又は細い箸や、長い箸又は短い箸などに関わらず様々な箸に対応出来るために箸保持部材に伸縮性が必要とされる。  また一対の箸を嵌合保持する上下２個の箸保持部材同士は開脚バネを有した連結部材が箸間隔を適度に広げ常時Ｖ字状になることから箸と箸の間隔が広くなり、箸の中間部分に取り付けた箸保持部材から箸の後端側の間を掌中に納めるように手指を添わせて箸先の開き操作をするので、箸間隔に合った手の大きさでなければ使用できず小児の小さい手及び手に障害のある人にとっては使い難い構成であり、コンパクトで箸が持ちやすく使いやすい構成の箸自助具を必要としていた。
【０００７】
また、従来の食事用の箸置きは、床面に配置する台座の上部に様々な形状に形成され食事中に箸を置くことしかできず、上面に箸置き面を形成しているが箸の転び落ち防止の窪み部分が設けられていないので窪みを設ける必要があった。                                      また底面の台座は切り込み部を形成してあって、台座の切り込み部に連なる開口部に横貫挿通する箸を一纏めにする機能を備えた箸止めであっても、箸の使用中は床面に置いておくことになり、食事中に使用しない物であるということで箸置き同様の課題を有していた。  上述の箸自助具および箸置きはそれぞれ個別の物品として開発されてきたが、食事する場面においてそれぞれ用途が違うため別々に用意しなければならず常備常用されにくいという課題を有していた。
本考案は従来の構成が有していた問題を解決しようとするものであり、小さい手の人及び手に障害のある人にとっても使い勝手に優れ、食事中にも邪魔にならない箸自助具の機能と箸置きの機能を一体化する構成を実現することを目的とするものである。
【課題を解決するための手段】
【０００８】
本考案は、上記目的を達成するために、箸の操作を補助する箸置き兼用箸自助具であって、伸縮性素材で構成され箸を挿入可能な筒体であって、両側に位置する開口部及び両側の開口部から連なる内部空間を有する筒体、筒体を分割する切込み部、切込み部を跨いで筒体に配置され折り曲げ可能な連結部、箸自助具の開闢動作が同軌道になることで箸先の歪みをなくし、伸縮性素材の軌道軸となる筒体の下部に設けられた台座であって、筒体を安定して配置できる台座、筒体の上部に設けた箸置き用の窪みを設けたものである。
【０００９】
また、第２の解決手段は、切込み部を跨ぐように台座の内部に設けられた芯材であって、折り曲げるとバネ弾性が発生する芯材を設けたものである。
【００１０】
また、第３の解決手段は、窪みは、両端の開口部から筒体の中央部に向かい勾配のある傾斜を設けたものである。
【００１１】
また、第４の解決手段は、窪みは両端の開口部から内側に向かって、内部空間の内径を小さくするように形成されている。
【考案の効果】
【００１２】
上述したように本考案の箸置き兼用箸自助具は、切り込み部から筒体を分割し、分割された筒体を連結する連結部を折り曲げ、分割された筒体の開口部から筒体の内部空間に箸を取り付けることによって、ピンセット状の箸自助具を生成できる。  また、箸の乖離可動の作用点となる連結部の位置を中間部分ではなく箸の後端部に取り付けることにより手指で保持しやすくなり、さらに筒体は伸縮性を有し、伸縮性素材の軌道軸となる部材構成である台座が設けられることで箸自助具の開闢動作が同軌道となり、箸先の歪みをなくす作用で箸の開閉を容易にすることができることと、台座の底面部が平面に設けられているので、筒体を安定して配置出来、また筒体には窪みが設けられているので、窪みに箸を置くことができる。  従って、箸自助具を箸置きとしても機能させることができるため、箸自助具に合わせて箸置きを用意する必要がない。  さらに、筒体である箸保持部材の取り付け部分を箸の後端部から箸の中間部分又は、先端側に自助具を引き抜くように移動させることで箸が筒体を挿通した状態の箸置きとすることが可能な構成となる。
【００１３】
また、請求項２に記載の芯材により、箸自助具を開閉する際の補助力を得、芯材を筒体の端部まで配置しているので箸の開閉が容易になり、より効率的に箸の操作を補助できる。
【００１４】
また、請求項３に記載の窪みは中央部に向かって傾斜しているので箸自助具を、箸が転び落ちない箸置きとしても機能させることができる。
【００１５】
また、請求項４に記載の窪みは両端の開口から内側に向かって、内部空間の内径が小さくなっているので、両端開口部の入り口が広く、太い箸を開口部に近い位置で固定できるとともに、細い箸を開口部から遠い位置で固定できる。つまり、太さの異なる種々の箸に対応できる箸自助具を実現することができる。
【図面の簡単な説明】
【００１６】
【図１】本考案の実施形態を示す箸置き兼用箸自助具の外観斜視図
【図２】同箸置き兼用箸自助具の箸の取り付け状況を示す外観斜視図
【図３】同箸置き兼用箸自助具の使用状況を示す外観斜視図
【図４】同箸置き兼用箸自助具の箸置きの使用状況を示す外観斜視図
【図５】同箸置き兼用箸自助具の箸置きの使用状況を示す外観斜視図
【図６】同箸置き兼用箸自助具の外観図
【図７】同箸置き兼用箸自助具の図６におけるＡ−Ａ線断面図
【図８】同箸置き兼用箸自助具の外観斜視図
【図９】同箸置き兼用箸自助具の図７におけるＢ−Ｂ線断面図
【図１０】同箸置き兼用箸自助具の外観斜視図
【図１１】同箸置き兼用箸自助具の箸の挿入状態を示す部分断面図
【図１２】同箸置き兼用箸自助具の他の実施例を示す外観斜視図
【図１３】同箸置き兼用箸自助具の他の実施例を示す外観斜視図
【図１４】同箸置き兼用箸自助具の他の実施例を示す外観斜視図
【図１５】同箸置き兼用箸自助具の図１４の使用状態を示す外観図
【図１６】同箸置き兼用箸自助具の他の実施例を示す外観斜視図
【図１７】同箸置き兼用箸自助具の図１６の使用状態を示す外観図
【考案を実施するための形態】
【００１７】
以下、本考案の実施の形態を図１〜図１７に基づいて説明する。
【００１８】
図において、１は箸９の操作を補助する箸自助具である本体、３は伸縮性素材で構成され箸９を挿入可能な筒体、４は筒体３の両端に位置する開口部、５は開口部から連なる内部空間を有する筒体３を分割するセパレーター機能を有する切込み部、６は切り込み部５を跨いで筒体３に配置され折り曲げ可能なバネ弾性を有する連結部である。
【００１９】
図４と図５において、２は筒体３の下部に設けた台座で、７は筒体３の上部部分に設けた窪みである。本体１を連結部６で折り曲げずに台座２を床面に配置し、窪み７に箸９を置くことにより、箸置きとしての機能を実現する。  さらに、本体１を連結部６で折り曲げ、箸９を開口部４に挿入して、箸置きとして使用することも可能にした構成としている。
【００２０】
図６から図８において、８は切り込み部５を跨ぐように配置され折り曲げるとバネ弾性が発生する芯材で、台座２の一部である連結部６の内部に設けられている。
【００２１】
図９において、芯材８は、筒体３の両端の開口部４に近接する位置まで配置され、箸９の開脚に付勢するバネ弾性機能を発揮する構成としている。
【００２２】
図１０において、筒体３の上部部分に設けた窪み７は、両端の開口部４から筒体３の中央部に向かい勾配のある傾斜を有し、筒体３上部部分の窪み７の平面に勾配がつくことにより、箸９が納まりやすくなる。
【００２３】
図１１において、筒体３は、両端の開口部４から内側に向かって、内部空間の内径が小さくなった構成としている。筒体３に箸９を挿入した状態を表し、内部構造と開口部４Ａと開口部４Ｂに箸９Ａと箸９Ｂを挿入した状態を示している。開口部４の入り口は広く、内部空間の奥の窪み７は狭い内径で構成し、また構成材料を伸縮性素材としていることにより、太い箸から細い箸にいたる様々な規格の箸を固定できる構成としている。
【００２４】
図１２において、箸置きの筒体３は外観の表面形状が四角に形成され、台座２の上部に設けられた四角形状の筒体３と中央部に設けられた窪み７部分が上部部分に限らず左右側面の三面に設けられているため、四角形状の筒体３の側面と窪み７は箸置きとして設けられた台座２を除く三面がどの面でも箸置きの上面として使用可能である。
また図１３は、筒体３の形状を半楕円筒体にした実施例であり、他の種々の形状を用いても同様の効果を得ることが出来る。
【００２５】
図１４から図１７において、図１４の切込み部５と連結部６は２箇所に表されている形態が特徴であり、切り込み部５においてはセパレーター機能を有する形態が連結部６Ａと連結部６Ｂの２箇所で折れ曲がる構造である。図１５に示すように略U字状に折れ曲がることにより、箸使用が様々な手指に合うようになる。
図１６の切り込み部５は１箇所から途中で二股に分けて設けた実施例であり、連結部６Ａと連結部６Ｂが２箇所になって折れ曲がる構造である。図１６に示すように略U字状に折れ曲がることにより、前実施例と同様に使用態様を拡大することが可能となる。
【実施例】
【００２６】
以下、上記構成の動作を添付図面に従って１実施例として説明する。
図１は本考案の箸置き兼用箸自助具の本体１が箸置きとして示される実施形態であり、本体１である筒体３は両端に箸９を挿入する開口部５を備え、筒体３は筒体３同士を跨ぐバネ弾性を有する台座２が連結部６となり、台座２は底面部が平面に形成され、筒体３の上部部分には箸９を乗せて当接する窪み７部分が設けられ、箸自助具に対応できる部材構成を表した実施例である、
【００２７】
図２は本考案の箸置き兼用箸自助具の１実施例であり、図１の箸置きから変形移行した箸自助具は、上述連結部６が折れ曲がり、切り込み部５のセパレーターが分割拡開され、箸９Ａと箸９Ｂの乖離可動に連結部６のバネ弾性が付勢した、箸自助具の機能となり、また箸９Ａと箸９Ｂを保持する筒体３Ａと筒体３Ｂは、開口部４Ａと開口部４Ｂに箸９Ａと箸９Ｂを取り付け可能であり、開口部４Ａと開口部４Ｂに取り付けた箸９Ａと箸９Ｂは、箸後端部を開口部４Ａと開口部４Ｂに挿入し、内部空間を貫通挿入することで箸９Ａと箸９Ｂが固定され箸自助具として使用できることを示す実施例である。
【００２８】
図３は箸自助具の使用状況を示す１実施例であり、図２に係る箸保持の筒体３Ａと筒体３Ｂに設けた開口部４Ａと開口部４Ｂに箸９Ａと箸９Ｂを貫通挿入して使用可能となることを示す箸自助具は、連結部６の位置を箸９Ａと箸９Ｂの後端部にすることで、箸９Ａと箸９Ｂの後端部がバネ弾性の作用点となりピンセット状に生成され手指で保持しやすい箸自助具の形態となる。  したがってＶ字状に折り曲げた連結部６にバネ弾性が発生し箸使用の動作に補助力が加わることで、食事の際はピンセット状に食材を挟むように使用することを示す実施例である。
【００２９】
図４は本考案の箸置き兼用箸自助具の使用状況を示す１実施例であり、図１の実施形態における箸置きに箸９を乗せて当接する窪み７部分が、箸９を受け止め転び落ちを防ぎ、箸９の当接で箸置き本体も安定性が増すことを示す実施例である。
【００３０】
図５は箸置きの使用状況を示す１実施例であり箸自助具使用時に手を止めて箸９Ａと箸９Ｂを置きたいときは、箸自助具の箸保持の筒体３Ａと筒体３Ｂを箸９Ａと箸９Ｂの後端部より中間部分もしくは箸先端側の食材が触れていない部分まで移動させることで箸９Ａと箸９Ｂが筒体３Ａと筒体３Ｂに挿入された状態で箸置きとして使用できる。  この状態での箸９Ａと箸９Ｂには連結部６のバネ弾性が作用して箸先が開闢しようとする弾性反発力が加わり、箸９Ａと箸９Ｂの後端部は箸同士が互いに内向きの弾性復元力が加わり支えあうことで箸置きのとして機能していることを示す実施例である。
【００３１】
図６は図1の１実施例である箸置き兼用箸自助具の側面図であり、Ａ−Ａ線を示している。  図７は筒体３と台座２の構造について表しており、開口部４から窪み７にかけての内径が違い、開口部４が大きいと太い箸を挿入でき、窪み７部分の内径が小さいと細い箸が挿入できる本体１を開口部４近接で輪切りにした断面図で表すことで、筒体３の内部空間の形状と台座２に設けた芯材８がバネ弾性に付勢する機能の構成要素であり、箸自助具又は箸置きの本体１の構造であることを示す実施例である。
【００３２】
図８は本考案の箸置き兼用箸自助具の形態を示す１実施例であり、図１又は図２又は図３に係る、箸置きから箸自助具に変形移行する実施形態において、箸置きである筒体３を跨ぐ連結部６を折り曲げた状態を表しており、バネ弾性を有する連結部６を跨ぎ箸保持の筒体３Ａと筒体３Ｂが備わる箸自助具は、開口部４Ａと開口部４Ｂが放射状に拡開する状態で、台座２は連結部６にバネ弾性の復元しようとする反発力が補助力となり箸自助具としての機能が表われている１実施例である。
【００３３】
図９は図１から図８のいずれかに係る、台座２に設けられた芯材８を示す1実施例であり、芯材８は連結部６を基点として両端開口部４の近接まで設けてあり、芯材８の作用は箸自助具の開闢動作が同軌道となることで箸先の歪みをなくす作用となり、伸縮性素材の軌道軸となる部材構成を示す１実施例である。
【００３４】
図１０は箸置きの箸９を当接する窪み７を示す1実施例であり、両端開口部４は本体１の形状の中で最も高く形成され、中央部分に向かい筒体３上部部分の途中から傾斜となり窪み７が設けられ、傾斜から窪み７の勾配がつくことで箸９が動かず安定した状態で転び落ちを防ぐ機能を発揮する形状であることを示す１実施例である。
【００３５】
図１１は図２と図３に係る、箸置き兼用箸自助具の使用状況における部材構成を示す1実施例である。箸９Ａと箸９Ｂを取り付けた状態の部材構成を一部断面図で表しており、箸保持の筒体３Ａと筒体３Ｂは伸縮性素材で形成されることから、開口部４Ａと開口部４Ｂが大きな口径で太い箸を挿入可能としており、また筒体３Ａと筒体３Ｂの窪みの内径が小さいことで細い箸も挿入可能であって、さらに長い箸又は短い箸なども可能であることから、太い箸から細い箸に至る様々な箸が挿入可能であることと、箸自助具の取り付けが中間部分ではなく、箸９Ａと箸９Ｂの後端部に取り付けることでピンセット状に使いやすくなり、箸使用が不得手な小児の手指、又は障害で手指を大きく開くことができない方でも使いやすくなる１実施例である。
【００３６】
図１２は筒体３が四角形状の筒体３に形成された状態を示す１実施例であり。筒体３の窪み７部分が上部部分に限らず左右側面に設けられており、図１２の箸置きは、上部部分と左右側面部の三面に窪み７を設けていることで、箸置きとして三面のどの部分でも箸９を置くことができる。  また箸自助具使用時に箸９Ａと箸９Ｂを休めたい場合には、筒体３Ａと筒体３Ｂから箸９Ａと箸９Ｂを分離することで箸自助具は、くの字に曲がった状態となるが、くの字の形状のまま何度も再利用できる特徴がある。  また図１３は筒体３が半楕円筒に形成され、台座２が広く設けられた箸置きの状態を示す１実施例である。  先に述べた四角形状の筒体３の三面の窪み７は台座２を除く、どの面でも箸置きとして使用できることを表しており様々なバリエーションの可能性を示す１実施例である。
【００３７】
図１４と図１５はセパレーター機能を示す１実施例であり、図１４は筒体３の切り込み部のセパレーターが異なることが特徴であり、筒体３に設けた２箇所の切り込み部５と連結部６Ａと連結部６Ｂは、折れ曲げ部分がＵ字状になり箸同士に適度な箸間隔が備わり、手に持ったときの使用感覚が変わることで使いやすさを求めることができるバリエーションを示す１実施例である。
【００３８】
図１６と図１７はセパレーター機能を示す１実施例であり、図１６は筒体の切り込み部のセパレーターが異なることが特徴であり、筒体３に設けた１箇所から二股に分かれた２箇所の切り込み部５と連結部６Ａと連結部６Ｂは、折れ曲げ部分がＵ字状になり箸同士に適度な箸間隔が備わり、手に持ったときの使用感覚が変わることで使いやすさを求めることができるバリエーションを示す１実施例である。
【００３９】
図１〜図１７に記載の本考案の箸置き兼用箸自助具は、ピンセット状の態様となることで、これまで箸使いを不自由とされた外国人の方々又は障害があり箸を使えない方々又は小さい手で箸自助具を持てない方々などが、箸を持ちやすくなり、また使いやすくなることを目的としており、本考案の箸置き兼用箸自助具が食事中の不自由さや不便さを無くし、箸自助具と箸置きのどちらにも共用して使える形状であることを特徴としている。  
【００４０】
図１〜図１７に記載の本考案の材料構成としては、筒体３にシリコーン樹脂を用い、台座２に埋設されたバネ弾性を有する板状の芯材８には合成樹脂を用いる。  筒体３のシリコーン樹脂以外の材料としてゴム及びエラストマーなど他の伸縮性素材を用いても同様の効果を得ることができ、芯材８に用いるバネ弾性を有する材料として、金属他の材料でも構成可能である。
【００４１】
図１〜図１７に記載の本考案に係る利点として食事の際、要介護者、病傷者、小児から高齢者まで、また箸文化でない方々が箸使いに不便性を感じる方々に、対して箸自助具を使うことで、楽しく食事を摂っていただくことを目的とし、箸自助具の機能を有した箸置きが、昨今世界的に広がりつつある和食文化の発信と国内外の飲食関係や食事シーンに付与したアイテムとして、和食や箸文化の普及に貢献し活用されることで、飲食関係や医療介護などの産業分野で広範に普及が望める。
【符号の説明】
【００４２】
１    本体
２    台座
３    筒体
３Ａ  筒体
３Ｂ  筒体
４    開口部
４Ａ  開口部
４Ｂ  開口部
５    切り込み部
６    連結部
６Ａ  連結部
６Ｂ  連結部
７    窪み
８    芯材
９    箸
９Ａ  箸
９Ｂ  箸
【図１】
0003212348.tif 000003
【図２】
0003212348.tif 000004
【図３】
0003212348.tif 000005
【図４】
0003212348.tif 000006
【図５】
0003212348.tif 000007
【図６】
0003212348.tif 000008
【図７】
0003212348.tif 000009
【図８】
0003212348.tif 000010
【図９】
0003212348.tif 000011
【図１０】
0003212348.tif 000012
【図１１】
0003212348.tif 000013
【図１２】
0003212348.tif 000014
【図１３】
0003212348.tif 000015
【図１４】
0003212348.tif 000016
【図１５】
0003212348.tif 000017
【図１６】
0003212348.tif 000018
【図１７】
0003212348.tif 000019